(57)【要約】【課題】  キャンバスの下方側の空間を覆う。【解決手段】  可撓性シート状のキャンバス１０と、キャンバス１０を後方側で巻き取ったり繰り出したりする巻取体２０と、キャンバス１０の前端側を支持するように横幅方向へ連続する支持前枠３０と、後端部が巻取体２０側の不動部位に支持されるとともに前端部により支持前枠３０を支持し、その前後端部間を伸縮させる伸縮アーム５０とを備えたオーニング装置において、伸縮アーム５０は横幅方向へ間隔を置いて複数設けられ、これら伸縮アーム５０のうち、少なくとも前記横幅方向の端部側の伸縮アーム５０には、可撓性シート状の側幕６０が前後方向へわたって垂下状に係止されている。【選択図】  図１
2017128958.tif 000002
【特許請求の範囲】
【請求項１】
可撓性シート状のキャンバスと、前記キャンバスを後方側で巻き取ったり繰り出したりする巻取体と、前記キャンバスの前端側を支持するように横幅方向へ連続する支持前枠と、後端部が前記巻取体側の不動部位に支持されるとともに前端部により前記支持前枠を支持し、その前後端部間を伸縮させる伸縮アームとを備えたオーニング装置において、
前記伸縮アームは前記横幅方向へ間隔を置いて複数設けられ、これら伸縮アームのうち、少なくとも前記横幅方向の端部側の伸縮アームには、可撓性シート状の側幕が前後方向へわたって垂下状に係止されていることを特徴とするオーニング装置。
【請求項２】
伸長状態の前記伸縮アームと前記キャンバスとの間の空間を側方側から覆うように、可撓性シート状の補助幕が具備されていることを特徴とする請求項１記載のオーニング装置。
【請求項３】
前記補助幕は、前端側が前記支持前枠、又は前記伸縮アームの前端側に止着され、後端側が前記伸縮アームの後端側、又は前記巻取体側の不動部位に止着されていることを特徴とする請求項２記載のオーニング装置。
【請求項４】
前記補助幕には、該補助幕の上縁に沿って複数の棒状部材が直線状に並べられ止着されていることを特徴とする請求項２又は３記載のオーニング装置。
【請求項５】
前記伸縮アームは、前記不動部位に対し横方向へ回動するように支持された後アームと、該後アームの前端側部分に対し横方向へ回動するように支持された前アームとを備え、これら後アームと前アームとの間を曲げ伸ばしして前後端部間を伸縮させるように構成され、
前記側幕の上端側は、その後側部分が前記後アームに止着されるとともに、前側部分が前記前アームに止着されていることを特徴とする請求項１乃至４何れか１項記載のオーニング装置。
【請求項６】
前記後アームは、前記不動部位に対し横方向内側へ回動するように支持され、前記前アームは、該後アームの前端側部分に対し横方向外側へ回動するように支持され、
前記補助幕の前後方向の長さは、前記後アームと前記前アームの合計の長さよりも短く設定されていることを特徴とする請求項５記載のオーニング装置。
【請求項７】
前記支持前枠には、可撓性シート状の前幕が、横幅方向へわたって垂下状に係止され、
前記側幕の前端側は、前記前幕に対し着脱可能に止着されていることを特徴とする請求項１乃至６何れか１項記載のオーニング装置。
【発明の詳細な説明】
【技術分野】
【０００１】
本発明は、キャンバスを張出したり収納したりするオーニング装置に関するものである。
【背景技術】
【０００２】
従来、この種の発明には、例えば特許文献１に記載のもののように、可撓性を有するシート状のキャンバスと、該キャンバスの前端側が止着された支持前枠と、該キャンバスを後方側で巻き取ったり繰り出したりする巻取体と、該巻取体を駆動回転させる回転式電動機と、前記支持前枠を支持するとともに前後に伸縮可能な伸縮アームと、前記伸縮アームを前記後方側から支持する支持基体とを備えたオーニング装置がある。
前記従来技術では、前記巻取体を繰出し方向へ回転させると、キャンバスが繰り出されるのに伴って、前記開閉体支持前枠が前記巻取体から離れてゆくとともに、前記伸縮アームが内在する付勢部材の付勢力によって展開されるように伸長してゆく。また、前記巻取体を巻取り方向へ回転させれば、キャンバスが前記巻取体に巻き取られるのに伴って、前記開閉体支持前枠が前記巻取体に近づくとともに、前記伸縮アームが折れ曲がるように収縮する。
【先行技術文献】
【特許文献】
【０００３】
【特許文献１】特開２０１３−１９４４８３号公報
【発明の概要】
【発明が解決しようとする課題】
【０００４】
上記従来のオーニング装置によれば、キャンバスを張出せば、上方からの日差しや雨風、雪等をキャンバスにより防ぎ、該キャンバスの下方側の空間を有効に利用することができる。しかし、従来のオーニング装置では、上方をキャンバスで覆ったとしても、側方や前方が開放しているため、側方や前方から吹き込む雨や風を防ぐことはできない。
また、塗装や溶接、研磨等の作業が行われる現場では、粉塵等が飛散しないように上方、側方及び前方が囲まれた空間が必要になる。そこで、上記従来のオーニング装置のキャンバスにより上方を覆い、その周囲を移動式のパーテーション等で囲むことが考えられる。しかしながら、キャンバスと前記パーテーションの間に隙間が生じ、該隙間から外部へ粉塵等が飛散するおそれがある。また、加工対象物や機械の搬入搬出等の際には、前記パーテーションを人力等により移動させる必要があり、その作業が面倒である。
そこで、必要に応じて、キャンバス下方側の空間を容易に覆うことができるオーニング装置が求められる。
【課題を解決するための手段】
【０００５】
このような課題に鑑みて、本発明は、以下の構成を具備するものである。
可撓性シート状のキャンバスと、前記キャンバスを後方側で巻き取ったり繰り出したりする巻取体と、前記キャンバスの前端側を支持するように横幅方向へ連続する支持前枠と、後端部が前記巻取体側の不動部位に支持されるとともに前端部により前記支持前枠を支持し、その前後端部間を伸縮させる伸縮アームとを備えたオーニング装置において、前記伸縮アームは前記横幅方向へ間隔を置いて複数設けられ、これら伸縮アームのうち、少なくとも前記横幅方向の端部側の伸縮アームには、可撓性シート状の側幕が前後方向へわたって垂下状に係止されていることを特徴とする。
【発明の効果】
【０００６】
本発明は、以上説明したように構成されているので、必要に応じて、キャンバス下方側の空間を容易に覆うことができる。
【図面の簡単な説明】
【０００７】
【図１】本発明に係るオーニング装置の一例について、外観を示す斜視図である。
【図２】同オーニング装置の要部斜視図であり、キャンバス及び前幕の輪郭を二点鎖線で示している。
【図３】同オーニング装置の要部側面図であり、キャンバスを二点鎖線で示している。
【図４】側幕の一例を示す平面図である。
【図５】補助幕の一例を示す平面図である。
【図６】補助幕止着ブラケットの一例を示し、（ａ）は側面図、（ｂ）は（ａ）を右側から視た図である。
【図７】オーニング装置の動作状態を（ａ）〜（ｃ）に順次に示す要部斜視図であり、隠れ線の処理を省略している。
【発明を実施するための形態】
【０００８】
次に、図面を参照しながら本発明の実施形態を説明する。以下、異なる図における同一符号は略同一の構成を示しており、重複する説明は適宜省略する。
【０００９】
このオーニング装置Ａは、可撓性シート状のキャンバス１０と、キャンバス１０を後方側で巻き取ったり繰り出したりする巻取体２０と、キャンバス１０の前端側を支持するように横幅方向へ連続する支持前枠３０と、支持前枠３０に横幅方向へわたって垂下状に係止された前幕４０と、後端部が巻取体２０側の不動部位である支持基体２１に支持されるとともに前端部により支持前枠３０を支持し、その前後端部間を伸縮させる複数の伸縮アーム５０と、これら複数の伸縮アーム５０のうち横幅方向の両端側の各伸縮アーム５０に前後方向へわたって垂下状に係止された側幕６０，６０と、伸長状態の伸縮アーム５０とキャンバス１０との隙間を側方から覆う補助幕７０，７０とを備え、キャンバス１０を繰り出した際に、該キャンバス１０の前方及び両側方を、前幕４０、両側幕６０，６０及び補助幕７０，７０等によりコ字状に囲む。
なお、図１に示す一例では、四つの伸縮アーム５０を設けているが、横幅方向の寸法が比較的短い場合等には、中央側の二つの伸縮アーム５０を省くことが可能である。また、横幅方向がより長い場合等には、五つ以上の伸縮アーム５０を設けるようにしてもよい。
【００１０】
キャンバス１０は、例えば、ガラスクロスやシリカクロス等の難燃性布地や、フッ素加工を施した塩化ビニル樹脂シート材、ガラス繊維を含んだ合成樹脂シート材等、耐火性（難燃性を含む）を有する可撓性シート材料によって平面視略矩形状に構成される。
このキャンバス１０の前端部は、支持前枠３０に止着され、同キャンバス１０の後端部は、巻取体２０の外周に止着されている。
【００１１】
巻取体２０は、キャンバス１０の横幅方向の全長と略同等の長さの円筒体状に形成され、その両端側にベアリング（図示せず）及び巻取体支持ブラケット２２（図２参照）等を介することで、支持基体２１に対し、その前方斜め上方側に離間した位置で回転するように支持されている。
この巻取体２０内には、図示しない回転式電動機（例えば、チューブラモータ等）が具備される。この回転式電動機は、基部と該基部に対し双方向へ駆動回転する出力軸とを備え、前記基部を巻取体２０内面に固定するとともに、前記出力軸を巻取体支持ブラケット２２に対し回転不能に固定している。したがって、前記回転式電動機の供給電源を制御すれば、巻取体２０を双方向へ回転させることができる。
【００１２】
図１中、符号２３は、操作スイッチである。この操作スイッチ２３は、前記回転式電動機を制御する制御回路（図示せず）に電気的に接続されており、前記制御回路に対し前記回転式電動機を正転、逆転及び停止するため指令を有線送信する。この操作スイッチ２３は、操作者が前幕４０と側幕６０，６０で囲われた空間の外側に居て操作できる位置に設けられている。
また、図１中、符号２７は、無線リモコン装置である。この無線リモコン装置は、前記回転式電動機を制御する制御回路（図示せず）の無線モジュール（図示せず）に無線接続されており、前記制御回路に対し前記回転式電動機を正転、逆転及び停止するため指令を無線送信する。
なお、操作スイッチ２３と無線リモコン装置２７は、必要に応じて、両方が用いられるようにしてもよいし、何れか一方のみが用いられるようにしてもよい。
【００１３】
支持前枠３０は、キャンバス１０の横幅方向の略全長にわたる棒状の部材であり、金属材料や合成樹脂材料等の硬質材料から構成される。
この支持前枠３０は、後述する複数（図示例によれば４つ）の伸縮アーム５０の前端部によって支持される。
この支持前枠３０には、前幕４０の上端部が止着されている。
【００１４】
前幕４０は、支持前枠３０の略全長にわたって、該支持前枠３０に吊持されたシート状の部材であり、例えば、キャンバス１０と同材質の可撓性シート材料によって平面視略矩形状に構成される。
この前幕４０の上端辺を支持前枠３０に止着する手段は、本実施の形態によれば、支持前枠３０と前幕４０の上端縁とを凹凸状に嵌め合せるようにしている。詳細に説明すれば、支持前枠３０の下面に下方を開口した断面Ｃ字状の凹溝を横幅方向へわたって設けるとともに、前幕４０の上端には横幅方向へ連続する断面袋状部分を設け、前記断面袋状部分を前記凹溝に嵌め合せた後、前記断面袋状部分に横幅方向の端部から棒状部材を挿入して、前記断面袋状部分が前記凹溝から抜けないようにしている。
なお、前記止着手段の他例としては、支持前枠３０にブラケットを介して前幕４０を吊持した態様や、その他の周知の吊持構造とすることが可能である。
【００１５】
伸縮アーム５０は、キャンバス１０の下方側において、巻取体２０と支持前枠３０の間に、横幅方向へ間隔を置いて複数配設され、支持前枠３０を前後に進退させるように支持している。
各伸縮アーム５０は、支持基体２１（不動部位）に対し略水平な横方向に回動するように枢支された後アーム５１と、後アーム５１の前端側部分に対し略水平な横方向へ回動するように枢支された前アーム５２とから一体的に構成される。
後アーム５１と前アーム５２は、金属製の角筒状部材であり、ヒンジ等を介してその一方に対し他方が横方向へ回動するように接続されている。
【００１６】
複数の伸縮アーム５０のうち、横幅方向の両側端側の二つの伸縮アーム５０，５０については、各後アーム５１が、支持基体２１（不動部位）に対し横方向内側（換言すれば、当該オーニング装置Ａ内の空間側）へ回動するように支持され、各前アーム５２が、後アーム５１の前端側部分に対し横方向外側（換言すれば、当該オーニング装置Ａ内に対する外側）へ回動するように支持される。
すなわち、側端側の伸縮アーム５０は、後アーム５１と前アーム５２の間の接続部分が折れ曲がる際、この折れ曲り部分をオーニング装置Ａ内の空間側へ移動する。
【００１７】
これら後アーム５１及び前アーム５２の内部には、これら後アーム５１及び前アーム５２を展開方向（伸びる方向）へ付勢する付勢機構（図示せず）が設けられる。この付勢機構は、例えば、直列に連結されたコイルスプリング及びワイヤーの一端側を後アーム５１に止着するとともに他端側を前アーム５２に止着してなり、前記コイルスプリングの引張力により後アーム５１及び前アーム５２を展開方向へ付勢する。なお、前記付勢機構の他例としては、後アーム５１と前アーム５２を軸支する部分にねじりコイルバネや板バネ等を設けた態様等、他の構造とすることも可能である。
【００１８】
上記構成の伸縮アーム５０によれば、巻取体２０を繰出し方向へ回転させると、キャンバス１０が繰り出されるのに伴って、支持前枠３０が巻取体２０から離れてゆくとともに、各伸縮アーム５０が前記付勢機構の付勢力によって展開し伸長する。また、巻取体２０を巻取り方向へ回転させれば、キャンバス１０が巻取体２０に巻き取られるのに伴って、支持前枠３０が巻取体２０に近づくとともに、各伸縮アーム５０が折れ曲がるようにして収縮する。
【００１９】
なお、後アーム５１と前アーム５２は、展開状態においてキャンバス１０内面との接触を阻むために、上方側を内角とした略逆へ字状に曲がった形状となるように接続されている（図３参照）。この接続構造は、後アーム５１と前アーム５２を回動自在に接続する支持軸を、後アーム５１又は前アーム５２に対し傾斜させている。
【００２０】
また、各伸縮アーム５０と支持基体２１の間には、必要に応じて、各伸縮アーム５０を上下方向へ揺動させる揺動機構５３（図２参照）が設けられる。
この揺動機構５３には、手動により伸縮アーム５０を上下に揺動させる機構（例えば、特開２０１０−２４７６１）や、電動により伸縮アーム５０を上下に揺動させる機構（例えば、特開２０１３−１９４４８３）等を適用すればよい。なお、揺動機構５３を省いて、伸縮アーム５０が揺動しない構造にすることも可能である。
【００２１】
また、側幕６０は、可撓性を有する略矩形状のシート材である。この側幕６０は、キャンバス１０と同様の材質とすればよいが、例えば、内部を視認可能にした透明のシート材等、キャンバス１０とは異なる材質のシート材とすることも可能である。
【００２２】
側幕６０の上端縁は、その後側部分が後アーム５１に止着されるとともに、前側部分が前アーム５２に止着されている。この止着手段は、図示例によれば、側幕６０上端側の止着孔６１ａに挿通される結束バンド６４を前アーム５２に環状に装着するようにしている。前記止着手段の他例としては、嵌合や接着、巻き付け、挟み込み等とすることが可能である。
【００２３】
ここで、側幕６０の平面視形状について、図４を参照して詳細に説明する。
側幕６０の端部側（周縁）には、補強等のために、側幕６０の端縁に沿って一定幅で二つ折りにされた折込部６０ａが設けられる。
側幕６０の上縁部６１は、伸縮アーム５０に沿う逆へ字状に形成している。この上縁部６１にも折込部６０ａが設けられ、さらに、この上縁部６１の折込部６０ａには、所定間隔を置いて貫通状の止着孔６１ａが複数設けられる。各止着孔６１ａには、例えば、環状のハトメ等の孔補強部材が装着されている。
【００２４】
また、側幕６０の前端側には、上下方向へわたって着脱具６２が固定されている。図示例の着脱具６２は、ベルベットファスナーであり、その片半部を側幕６０の前端側に止着するとともに他半部を、前幕４０の横幅方向端部側に止着している。
着脱具６２の他例としては、ホックや、磁石、フック等を用いた態様とすることも可能である。
【００２５】
また、側幕６０の後端縁６３（図４によれば右端側の縁）は、傾斜状に形成される。この後端縁６３は、側幕６０の後端側に、後方へ長くなる余剰部分６３ａを確保している。この余剰部分６３ａは、側幕６０の後端と、対向する不動部位（壁面や柱等）との間に隙間が生じるのを防ぐ。
なお、他例としては、余剰部分６３ａを省いて、側幕６０の後端縁６３を垂直状に形成することも可能である。
【００２６】
補助幕７０は、伸長状態の伸縮アーム５０と側幕６０との間の空間を、側方側から覆うように、前端側が支持前枠３０に止着され、後端側が伸縮アーム５０の後端側に止着されている（図３参照）。なお、他例としては、補助幕７０の前端側を伸縮アーム５０の前端側に止着したり、補助幕７０の後端側を巻取体２０側の不動部位（例えば支持基体２１等）に止着したりしてもよい。
補助幕７０の前後方向の長さは、後アーム５１と前アーム５２の合計の長さよりも短く設定されている。したがって、補助幕７０が引き張られた状態では、後アーム５１と前アーム５２は、上方から視てへ字状に曲がった状態に保持される（図１及び図２参照）。このため、補助幕７０と後アーム５１及び前アーム５２の間には、空気通路ａとなる隙間ｓが確保される。
この補助幕７０の材質は、例えば、側幕６０のものと同様の可撓性シート材とすればよい。
【００２７】
詳細に説明すれば、補助幕７０は、図５に示すように、横長矩形状に形成され、その長手方向の略中央寄りに、中央側折り目７１を有し、左右の端部側には、それぞれ、傾斜状の端部側折り目７２，７２を有する。
【００２８】
中央側折り目７１は、補助幕７０の長手方向の片半部と他半部を重ね合わせるようにして、該補助幕７０が折り曲げられる際に、その折り曲げを容易にするための部位であり、図示例によれば、補助幕７０の長手方向に対し交差（図示例によれば略直交）するように、補助幕７０の上下幅の全長にわたる線状に設けられる。
この中央側折り目７１は、補助幕７０の中央側を部分的に重ね合わせて接合したものである。すなわち、補助幕７０の中央側には幅の狭い重ね合わせ部分が設けられ、該重ね合わせ部分は接合されている。前記接合は、熱溶着とすればよいが、接着剤を用いた接着や、縫い糸を用いた縫合としてもよい。
また、この中央側折り目７１は、補助幕７０の中央寄りを部分的に折り曲げ易くする構成であれば、上記以外の構成であってもよい。
【００２９】
各端部側折り目７２は、補助幕７０の一端側における上側の角部と、下辺の途中部分とを傾斜する線状に結ぶように設けられる。前記傾斜の角度は、図示例によれば、４５度である。
この端部側折り目７２は、中央側折り目７１と同様に、補助幕７０の一部分を重ね合わせて接合したものである。
【００３０】
また、補助幕７０の端部側（周縁）には、側幕６０と同様に、補強等のために、その端縁に沿って一定幅で二つ折りにされた折込部７０ａが設けられる。
特に、補助幕７０の上縁側には、中央側折り目７１を境にその両側に、断面袋状に折込部７０ａが形成され、各折込部７０ａ内には、棒状部材７３が設けられる。棒状部材７３は、金属材料や合成樹脂材料等の剛性を有する材料から形成され、図５に例示するように、折込部７０ａ端部の開口から内部に挿入されている。前記開口は、棒状部材７３の挿入後に、溶着や縫合、接着等の接合手段によって閉鎖される。
【００３１】
また、補助幕７０の下縁側の折込部７０ａも、断面袋状に形成され、特に、左右の各端部側折り目７２の下側の折込部７０ａ内には、棒状部材７４が設けられる（図５参照）。
この棒状部材７４は、棒状部材７３と同材質の部材であり、端部側折り目７２よりも補助幕７０端部側に偏って配置される。
この棒状部材７４は、図５に例示するように、補助幕７０下縁側の折込部７０ａ端部の開口から内部に挿入されている。前記開口は、棒状部材７４の挿入後に、溶着や縫合、接着等の接合手段によって閉鎖される。したがって、棒状部材７４は、前記接合手段と、端部側折り目７２との間で、補助幕７０の長手方向へ移動しないように保持される。
【００３２】
また、補助幕７０の上端側において、補助幕７０の長手方向の一端側と他端側には、それぞれ、前側被止着部７５と後側被止着部７６が設けられる（図５参照）。
【００３３】
前側被止着部７５は、補助幕７０の上端側において、その前端から前方へ突出する平面視略矩形平板状のシート材である。この前側被止着部７５は、補助幕７０の一部分としてもよいし、補助幕７０と同材質のシート材を接合したものであってもよい。
この前側被止着部７５は、補助幕７０に対し角度約９０度曲げられて、支持前枠３０の内側の側面に止着される。この際の止着手段は、ネジ止めや嵌合、バンド締結等とすることができる。本実施の形態の一例によれば、前側被止着部７５は、支持前枠３０の内側の側面と、該側面にネジ止めされる平板状部材（図示せず）との間に挟まれて保持される。
【００３４】
後側被止着部７６は、補助幕７０の上端側において、その後端から後方へ突出するシート材であり、上下方向の貫通孔７６ａを有し、図示例によれば、平面視略台形状に形成される（図５参照）。この後側被止着部７６は、補助幕７０の一部分としてもよいし、補助幕７０と同材質のシート材を接合したものであってもよい。
この前側被止着部７５は、後述する補助幕止着ブラケット８０を介して、伸縮アーム５０の後端側に止着される。
【００３５】
補助幕止着ブラケット８０は、図６に示すように、伸縮アーム５０の後アーム５１に対し、上方から嵌り合う凹状片８１と、該凹状片８１の上端から、斜め上方へ突出する支持軸８２とを一体に具備する。
【００３６】
凹状片８１は、後アーム５１の後端側に、上方から被せられる。この凹状片８１は、下端側の貫通孔８１ａに挿通される止着具（例えば、ボルトとナット等）により、後アーム５１に対し不動に固定される。
【００３７】
支持軸８２は、オーニング装置Ａの横幅方向の外側へ傾くようにして、凹状片８１に対し斜め上方へ突出したボルトである。
この支持軸８２は、補助幕７０端部の後側被止着部７６に挿通され、その先端側には、ナット８３が螺合される。
したがって、補助幕７０は、オーニング装置Ａの横幅方向において、伸縮アーム５０よりも外側に位置し、その後端側が伸縮アーム５０に固定される。
【００３８】
なお、図１及び図２中、符号２４は、巻取体２０の側方を覆う側面カバーである。符号２５は、巻取体２０の上方を覆う天面カバーである。符号２６は、支持基体２１を当該オーニング装置Ａの設置対象物に固定するための取付けブラケットである。
【００３９】
次に、上記構成のオーニング装置Ａについて、その特徴的な作用効果を詳細に説明する。
図１〜図２及び図７（ａ）は、オーニング装置Ａが、キャンバス１０を張出した状態を示す。
この張出状態では、キャンバス１０下側の空間が、前幕４０、左右の側幕６０，６０、補助幕７０，７０、後方側の壁面等（図示せず）、床面や地面等（図示せず）によって囲まれる。すなわち、該空間は、上下及び四方を囲まれることになる。
よって、当該オーニング装置Ａを用いれば、側方や前方等から雨や雪、風等が内部に侵入するのを防ぐことができる。
さらに、当該オーニング装置Ａ内に、塗装装置や、溶接装置、その他の製造機械等を設置し作業空間として利用した場合には、前記機械等によって発生する霧状の塗料や、粉塵等が、オーニング装置Ａの外部へ飛散するようなことを防ぐことができる。
【００４０】
また、本実施の形態の好ましい一例では、側幕６０の前端と前幕４０の内面とを着脱具６２によって接続しているため、その着脱箇所を部分的に外して、人や物を内外に容易に通過させることができる。
【００４１】
また、伸縮アーム５０と補助幕７０の間の隙間ｓによって空気通路ａが確保されているため、オーニング装置Ａ内部の空間と、その外部の空間との通気性も良好である。
【００４２】
また、キャンバス１０等を収納する際には、操作スイッチ２３又は無線リモコン装置２７の操作によりキャンバス１０を巻取体２０に巻き取れば、後アーム５１と前アーム５２が折れ曲がるようにして収縮し、図７（ａ）〜（ｃ）に示すように、側幕６０及び補助幕７０が畳まれてゆき、支持前枠３０及び前幕４０が後方へ移動する。
詳細に説明すれば、補助幕７０は、その前後の棒状部材７３，７３の重みにより、先ず、中央の中央側折り目７１部分で二つ折りにされる（図７（ａ）（ｂ）参照）。さらに、補助幕７０は、両端部側が、それぞれ棒状部材７４の重みにより、三角形状に折り畳まれる（図７（ｃ）参照）。
また、側幕６０は、後方へ寄せられるように撓んでゆく。なお、側幕６０の後部側には、余剰部分６３ａが形成されているため、この余剰部分６３ａによって、側幕６０の後端部と、その後部側の壁面（図示せず）との間に隙間が生じるようなことを防ぐことができる。
【００４３】
よって、オーニング装置Ａによれば、必要に応じて、キャンバス１０の下方側の空間を、容易に覆ったり開放したりすることができる。
【００４４】
なお、上記実施の形態によれば、伸縮アーム５０を後アーム５１と前アーム５２の２本のアームから構成したが、伸縮アームの他例としては、折れ曲がるようにした３以上のアームとした態様や、壁面へ向かって折れ曲るようにした１本のアームとした態様等とすることも可能である。
さらに、上記伸縮アームの他例しては、内外に重なりあった複数の筒状部材を互いにスライドさせて伸縮する態様とすることも可能である。この場合には、例えば、側幕６０の上端側に間隔を置いてリング状部材を複数止着し、該リング状部材を前記伸縮アームに対し環状に装着し、最前端側の前記リング状部材を前記伸縮アームの前端側に固定するとともに、最後端側の前記リング状部材を前記伸縮アームの後端側に固定すればよい。
【００４５】
また、上記実施の形態によれば、特に好ましい態様として、補助幕７０に棒状部材７３，７４を設けたが、これら棒状部材７３及び棒状部材７４は省くことも可能である。
【００４６】
また、上記実施の形態によれば、前幕４０を支持前枠３０に対し不動に止着したが、他例としては、前幕４０の上端を、支持前枠３０に対しスライド可能に吊持する態様とすることも可能である。より具体的に説明すれば、この態様では、前幕４０の下端側に、カーテン用のガイドレール及び複数の駒を設け、前幕４０の上端に、前記複数の駒にそれぞれ掛止するようにフックを設ける。
この態様によれば、前幕４０をカーテンのように開放したり閉鎖したりすることができ、人や物の出入りをより容易にすることができる。
【００４７】
また、上記実施の形態によれば、側幕６０には折り目を設けなかったが、必要に応じて、側幕６０にも、補助幕７０の中央側折り目７１等と同構造の折り目を設けて、収縮時の収納性をより向上するようにしてもよい。
【００４８】
また、上記実施の形態によれば、側幕６０を伸縮アーム５０に対し着脱不能に止着したが、他例としては、側幕６０を伸縮アーム５０に対し着脱可能に止着するようにしてもよい。また、同様に、前幕４０を支持前枠３０に対し着脱可能に止着することも可能である。
【００４９】
また、上記実施の形態によれば、特に好ましい態様として、前幕４０を設けたが、他例としては、上記オーニング装置Ａから前幕４０を省いた構成とすることも可能である。この構成によっても、キャンバス１０下方の空間についてその側方側を側幕６０によって覆うことができ、側方からの雨風の浸入を防いだり、内部の粉塵が側方へ飛散するのを防いだりすることができる。
【００５０】
また、上記実施の形態によれば、電動で巻取体２０を回転させる構成としたが、他例としては手動で巻取体２０を回転させる構成とすることも可能である。
【００５１】
また、上記実施の形態における前幕４０に置換して、キャンバス１０の前端側が、支持前枠３０の下方へ垂れ下がる構造としてもよい。この場合、支持前枠３０に、キャンバス１０を挟んで電動で回転する一対のピンチローラを支持するとともに、該ピンチローラの回転によりキャンバス１０の前端側が下方へ導かれるようにすればよい。
【００５２】
また、上記実施の形態に追加する構成として、側幕６０の下端、及び／又は前幕４０の下端に、錘体を設けるようにしてもよい。前記錐体は、例えば、上述した棒状部材７３，７４と同様の構造とすればよい。この構成によれば、側幕６０や前幕４０の下端が風等により煽られるのを防ぐことができる。
【００５３】
また、上記実施の形態に追加する構成として、側幕６０及び／又は前幕４０に、窓を設けるようにしてもよい。前記窓は、例えば、側幕６０又は前幕４０に開口部を設け、該開口部を透明シートにより塞いだ構造とすればよい。
【００５４】
また、上記実施の形態に追加する構成として、側幕６０及び／又は前幕４０に、縦スリットやくぐり戸、開閉扉等を設けるようにしてもよい。この構成によれば、オーニング装置Ａ内の空間への出入りをより容易にすることができる。
【００５５】
また、本発明は上述した実施の形態に限定されず、本発明の要旨を変更しない範囲で適宜変更可能である。
【符号の説明】
【００５６】
１０：キャンバス
２０：巻取体
３０：支持前枠
４０：前幕
５０：伸縮アーム
５１：後アーム
５２：前アーム
６０：側幕
７３，７４：棒状部材
７０：補助幕
８０：補助幕止着ブラケット
Ａ：オーニング装置
ａ：空気通路
ｓ：隙間
【図１】
2017128958.tif 000003
【図２】
2017128958.tif 000004
【図３】
2017128958.tif 000005
【図４】
2017128958.tif 000006
【図５】
2017128958.tif 000007
【図６】
2017128958.tif 000008
【図７】
2017128958.tif 000009